(57)【要約】  本発明は、主にソーラーパネルを屋根に取り付けるバラスト式ソーラーパネル取付システムである。本取付システムは、基部の第１列および／または末尾列をパネルの真下に位置決めすることにより無駄な空間を低減する。これにより、追加のパネルの列のための場所を提供し、平方フィートの面積辺りより大量の電気を発生することができる可能性がある。さらに、本取付システムは、基部であって、バラストを支持するそれらの基部に一体的に接続される上方に延在する柱を備えた基部を使用する。したがって、本システムの１つの部品を別の部品に取り付ける必要のあるすべての組立が、高いレベルで行われ、設置する人に必要なかがむ量が低減する。さらに、ソーラーパネルを取り付ける一意のシステムを、治具なしに設置することができる。いくつかの場合では、それを、単一基準線（たとえばチョーク線）のみで設置することができる。さらに、基部は、安価な収納および配送のために積重ね可能であるように構成されている。【選択図】図１２
2013538307.tif 000002
【特許請求の範囲】
【請求項１】
ソーラーパネル取付システムにおいて、
底面および最上面を備える前方基部において、前記最上面がバラストを受け入れ、前記前方基部の一方の側部に一体的に取り付けられている上方に延在する柱の第１対をさらに備える前方基部と、
底面および最上面を備える少なくとも１つの中間基部において、前記最上面がバラストを受け入れ、前記少なくとも１つの中間基部の一方の側部に一体的に取り付けられている上方に延在する柱の第１対と、前記少なくとも１つの中間基部の前記一方の側部と反対側の他方の側部に一体的に取り付けられている上方に延在する柱の第２対とをさらに備える少なくとも１つの中間基部と、
底面および最上面を備える後方基部において、前記最上面がバラストを受け入れ、前記後方基部が前記後方基部の一方の側部に一体的に取り付けられている上方に延在する柱の第２対をさらに有し、前記少なくとも１つの中間基部および前記後方基部の前記柱の第２対の各々が、前記前方基部および前記後方基部の前記柱の第１対の各々より所定距離だけ長い、後方基部と、
支持バーの第１対であって、所定長であり、第１端部位置において前記前方基部の前記柱の第１対の最上端に取り付けられ、第２端部位置において前記少なくとも１つの中間基部の前記柱の第２対の最上端に取り付けられている支持バーの第１対と、
第１端部位置において前記少なくとも１つの中間基部の前記柱の第１対の最上端に取り付けられ、第２端部位置において前記後方基部の前記柱の第２対の最上端に取り付けられている、前記所定長の支持バーの第２対と、
を具備し、
前記所定長および前記所定距離が、レールを所定角度で位置決めするように選択されていることを特徴とするシステム。
【請求項２】
請求項１に記載のシステムにおいて、前記少なくとも１つの中間基部が２つ以上の中間基部を含み、前記支持バーの第１対が、前記２つ以上の中間基部の前記柱の第２対の最上端に取り付けられ、前記支持バーの第２対が、前記２つ以上の中間基部の柱の第１対の最上端に取り付けられていることを特徴とするシステム。
【請求項３】
請求項１に記載のシステムにおいて、前記支持バーの第１対のうちの少なくとも一方の支持バーおよび前記支持バーの第２対のうちの少なくとも一方の支持バーが、第１ソーラーパネルおよび第２ソーラーパネルをそれぞれ支持することを特徴とするシステム。
【請求項４】
請求項３に記載のシステムにおいて、前記支持バーの第１対のうちの前記少なくとも一方の支持バーが、第１ソーラーパネルを締結する少なくとも１つの締結具を備え、前記支持バーの第２対のうちの前記少なくとも一方の支持バーが、第２ソーラーパネルを締結する少なくとも１つの締結具を備えていることを特徴とするシステム。
【請求項５】
請求項１に記載のシステムにおいて、前記前方基部、前記少なくとも１つの中間基部および前記後方基部の各々が、前記基部の各々の前記最上面を包囲する略垂直周壁を備え、前記最上面および前記周壁が、前記バラストが受け入れられる容器を画定することを特徴とするシステム。
【請求項６】
請求項１に記載のシステムにおいて、前記前方基部および前記少なくとも１つの中間基部の各々の前記柱の第１対と、前記後方基部および前記少なくとも１つの中間基部の各々の前記柱の第２対とが、外周に取り付けられていることを特徴とするシステム。
【請求項７】
請求項１に記載のシステムにおいて、前記システムの部品を、前記前方基部および前記少なくとも１つの中間基部の前記柱の第１対の前記最上端の概して下方にある別の部品に締結する必要がないことを特徴とするシステム。
【請求項８】
請求項１に記載のシステムにおいて、前記前方基部が、前記支持バーの第１対の真下に配置され、前記後方基部が、前記支持バーの第２対の真下にあることを特徴とするシステム。
【請求項９】
ソーラーパネル取付キットにおいて、
底面および最上面を有する前方基部において、前記最上面がバラストを受け入れるように構成され、前記前方基部の１つの側部に一体的に取り付けられている上方に延在する柱の第１対をさらに備える前方基部と、
底面および最上面を備える少なくとも１つの中間基部において、前記最上面がバラストを受け入れるように構成され、前記少なくとも１つの中間基部の１つの側部に一体的に取り付けられている上方に延在する柱の第１対と、前記少なくとも１つの中間基部の前記１つの側部と反対側の他方の側部に一体的に取り付けられている上方に延在する柱の第２対とをさらに備える少なくとも１つの中間基部と、
底面および最上面を備える後方基部において、前記最上面がバラストを受け入れるように構成され、前記後方基部が前記後方基部の１つの側部に一体的に取り付けられている上方に延在する柱の第２対をさらに有し、前記少なくとも１つの中間基部および前記後方基部の前記柱の第２対の各々が、前記前方基部および前記少なくとも１つの中間基部の前記柱の第１対の各々より所定距離だけ長い、後方基部と、
所定長の支持バーの第１対であって、その第１端部位置において前記前方基部の前記柱の第１対の最上端に取り付けられ、その第２端部位置において前記少なくとも１つの中間基部の前記柱の第２対の最上端に取り付けられるように構成された支持バーの第１対と、
前記所定長の支持バーの第２対であって、その第１端部位置において前記少なくとも１つの中間基部の前記柱の第１対の最上端に取り付けられ、その第２端部位置において前記後方基部の前記柱の第２対の最上端に取り付けられるように構成された支持バーの第２対と、
を具備し、
前記所定長および前記所定距離が、レールを所定角度で位置決めするように選択されていることを特徴とするキット。
【請求項１０】
請求項９に記載のキットにおいて、前記前方基部、前記少なくとも１つの中間基部および前記後方基部の各々が、前記基部から水を排出するように構成された少なくとも１つのオリフィスを備えていることを特徴とするキット。
【請求項１１】
請求項９に記載のキットにおいて、前記第１支持バーおよび前記第２支持バーが、Ｕ字型であり、前記柱の第１対および前記柱の第２対を前記Ｕ字型溝内に受け入れるように構成されていることを特徴とするキット。
【請求項１２】
請求項９に記載のキットがさらに、前記前方基部を前記第１支持バーの真下にかつ前記後方基部を前記第２支持バーの真下に配置する組立指示書をさらに具備することを特徴とするキット。
【請求項１３】
請求項９に記載のキットにおいて、前記１つまたは複数の中間基部が少なくとも第１中間基部および第２中間基部を含み、前記第１中間基部が、前記キットが組み立てられる前に、前記第２中間基部が前記第１中間基部のそれぞれ前記柱の第１対と前記柱の第２対との間に嵌合し、前記第２中間基部の前記柱の第１対および前記柱の第２対が、前記第１中間基部のそれぞれ前記柱の第１対および前記柱の第２対と当接するように、前記第２中間基部の上に積み重ねられるように概して構成されていることを特徴とするキット。
【請求項１４】
ソーラーパネル取付システムにおいて、
複数の略水平第１基部の第１列と、
複数の略水平第２基部の第２列と、
複数の略水平第３基部の第３列と、
を具備し、
前記第１基部、前記第２基部および前記第３基部の各々が、前記基部の１つの側部に取り付けられた上方に延在する柱の短い対と、他方の側部に取り付けられた上方に延在する柱の長い対とを有し、前記第１基部、前記第２基部および前記第３基部の各々が、前記第１基部、前記第２基部および前記第３基部のうちの他のものの最上部に積み重ねられるように概して構成され、それにより、前記基部の前記各々が前記基部のうちの前記他の物に当接し、前記基部の各々のそれぞれの前記柱の短い対および前記柱の長い対が、前記基部のうちの前記他のもののそれぞれの前記短い対および前記長い対からずれてかつ隣接して嵌合し、
ソーラーパネルに支持可能に取り付けられた枠の１つの列であって、枠の第１列が前側および後側を有し、前記枠の１つの列の前記前側が、前記複数の略水平第１基部の第１列の前記柱の短い対に取り付けられるとともにそれによって支持され、前記枠の１つの列の前記後側が、前記第２基部の第２列の前記長い対に取り付けられるとともにそれによって支持される、枠の１つの列と、
ソーラーパネルに支持可能に取り付けられた枠の後列であって、前側および後側を有し、前記枠の後列の前記前側が、前記複数の略水平第２基部の第２列の前記柱の短い対に取り付けられるとともにそれによって支持され、前記枠の後列の前記後側が、前記複数の略水平第２基部の第３列の前記柱の長い対に取り付けられるとともにそれによって支持され、前記第３基部が前記枠の後列の真下に位置決めされる、枠の後列と、
を具備することを特徴とするシステム。
【請求項１５】
ソーラーパネルを支持体に固定する装置において、
通路およびリップを有し、前記リップの下でソーラーパネルを受け入れるように構成された締付ブラケットと、
カムボルトの第１端部にカムプレスを有し前記カムボルトの他方の端部にナットを有するカム作動締付機構であって、前記カムプレスを第１位置から、前記締付ブラケットを、支持体に対して付勢してソーラーパネルをそれらの間に締め付ける第２位置まで回転させるカム作動締付機構と、
を具備することを特徴とする装置。
【請求項１６】
請求項４１に記載の装置において、前記カムプレスが、カムレバーを移動させることによって前記第１位置から前記第２位置まで駆動され、前記支持体がロック溝穴をさらに備え、前記カムレバーがその中に移動して前記カムプレスを前記第２位置から移動しないようにすることができることを特徴とする装置。
【発明の詳細な説明】
【技術分野】
【０００１】
関連出願の相互参照
本出願は、２００９年５月１３日に出願された米国仮特許出願第６１／１７８，０２９号明細書の利益を主張する、２０１０年５月１３日に出願された米国特許出願第１２／７７９，２５６号明細書の一部継続出願であり、両出願は、全体として参照により本明細書に組み込まれる。本出願はまた、全体として参照により本明細書に組み込まれる、２０１０年９月３日に出願された米国仮特許出願第６１／３８０，０７３号明細書の利益も主張する。
【背景技術】
【０００２】
本発明は、概して、ソーラーパネルまたは太陽電池を取り付けるシステムに関し、より詳細には、太陽電池を取り付けるバラスト式屋根取付型ラックシステムに関する。
【０００３】
太陽エネルギーは、化石燃料を消費することなく電気を発生する機会を提供し、クリーンテクノロジーと考えられている。近年、太陽熱システムおよび太陽光発電システムに対する技術の開発により、太陽エネルギーの全体的な実行可能性が向上した。したがって、太陽エネルギーに対する要求が増大した。太陽エネルギーにより、個人または企業が、送電網に依存することなくそのエネルギー生産を所有し制御することができる。目下、太陽光発電技術は、世界の一般住民に対してもっとも手が届く代替燃料の形態である。
【０００４】
ソーラーパネル技術のコストには、機器の設置における著しい投資が含まれる。したがって、設置のコストを低減する技術の進歩により、このクリーンテクノロジーが投資の観点からより実行可能かつ魅力的なものとなる。設置の質はまた、ソーラーパネル設置の効率にも影響する。太陽に対するソーラーパネルの方向、水平線に対するソーラーパネルの角度、他のパネルに対するソーラーパネルの位置等、所与の領域内のソーラーパネルの密度は、太陽光発電システムの性能に対して良い影響または悪い影響がある可能性がある。
【０００５】
市販のソーラーパネルシステムの大部分が、オフィスビルの概して平坦な徘徊に設置される。一般に、平坦であるとは、屋根が所定の勾配なしに概して水平であるように設計されていることを意味する。平屋根は、概して平坦であるが、建物の沈降、建築の欠陥等により不均一であることが多いことが理解されるべきである。平屋根構造は、未使用空間の広い表面積があることが多いため、ソーラーパネル設置の位置を特定するために魅力的な場所である。屋根の上の往来は限られており、太陽光の障害物は比較的少ない。設計によりかつ一般的な安全予防策によりアクセスが制限されているため、意図的なまたは偶発的な損傷または盗難の確率は本来低い。したがって、ソーラーパネル業界において平屋根の上でソーラーパネルのアレイを支持するために有効な平屋根取付具またはラックを設計するように著しい努力がなされている。
【０００６】
太陽光にソーラーパネルの重なりをもたらすことなく、または最適な位置決めを犠牲にすることなく、ソーラーパネルの１つの追加の列を組み合わせることができることは、非常に有利であろう。さらに、パネルおよびそれらの支持構造を、正式な訓練を受けていない素人（日曜大工）が容易に組み立てることができる場合、有利であろう。システムを、工具不要に手で取り付けることができる場合、さらに有利であろう。輸送量の単位辺りより大量のシステム構成部品を輸送し、それにより輸送コストを低減するように、製品を積み重ねるかまたは構成することができる場合、さらに有利であろう。さらなる利点は、ソーラーパネルシステムの部品を切断しサイズ変更する必要なしに、一般的な屋上取付具等、屋根における障害物を回避するように容易に適合させることができるシステムがあることであろう。設置時間を短縮することにより人件費が低減し、太陽光発電技術が一般的な人により手が届くものとなる。
【０００７】
Ｋｒｕｇｅｒらに対する米国特許第４，２６９，１７３号明細書は、地面または屋根に対する取付システムを開示している。取付システムは、パネルが締結されるレールおよび桁のアレイを含む。取付システムは、取付ブラケットによりねじまたはボルトによって固定される。したがって、このシステムを固定するために屋根の防水バリアを貫通する必要がある。こうしたシステムは、屋根の貫通が屋根に漏れをもたらす可能性があるため望ましくない。
【０００８】
Ｇｅｎｓｃｈｏｒｅｋに対する米国特許出願公開第２００８／０２１０２２１号明細書は、ソーラーパネルを、屋根または地面等の平坦構造に取り付けるために角度をなして取り付ける枠アセンブリを開示している。枠システムは、担体形状（ｃａｒｒｉｅｒ  ｐｒｏｆｉｌｅ）要素によって支持され、それは、恐らくはボルト、ねじまたは貫通する締結具により、地面または屋根表面に担体形状要素を接続するための接続を形成する穴を有する脚を備えている。
【０００９】
米国特許第６，０４６，３３９号明細書は、ソーラーパネルを列で取り付けるシステムを開示している。ソーラーパネルの列は断熱ブロックの列によって支持され、断熱ブロックは、相互接続され、かつ屋根等、ソーラーパネルを支持する面の上に載る。各断熱ブロックは、一対の左取付ブラケットおよび右取付ブラケットを支持する。ソーラーパネルは、パネルの正面において支持ブラケットに取り付けられ、背面側において、パネルを上昇させるように伸縮可能な支柱に取り付けられる。このシステムでは、ソーラーパネルを受け入れる領域全体を覆うパネル状ブロックが必要である。パネル状断熱ブロックの大きさが、使用を妨げる要因である。
【００１０】
米国特許第７，４８１，２１１号明細書は、ソーラーパネルを支持するバラスト式システムを記載している。バラスト式システムは、基部と、基部をソーラーパネルに結合する支持構造とを備えている。システムは、支持構造に取り付けられたソーラーパネルの複数の列を有している。支持ブロックは、支持構造の角に位置している。支持構造は、単一の角度付き支持構造の上にパネルの複数の列を支持する。
【００１１】
Ｌｅａｒｙに対する米国特許出願第２００９／０２４２０１４号明細書は、ソーラーパネルを取り付けて保持するシステム装置を開示している。パネルは、角においてシューによって支持されている。パネルは、取付モジュールにより、後方取付穴および前方取付穴に取り付けられる。取付モジュールは、ソーラーパネルの下側リップに締め付けられるボルト作動クランプを含む。シューに取付機構を取り付けるために、別のボルトが必要である。したがって、複数ステップの組立が必要であり、これの設置が不必要に設置に時間がかかるものとなる。
【００１２】
Ｒａｗｌｉｎｇｓに対する米国特許第７，９２１，８４３号明細書は、２つの取付棚を備えたトラフ構造を開示している。一方の取付棚が、ソーラーパネルの背面側においてパネルの列を支持する。他方の取付棚が、ソーラーパネルの別の列の正面側においてパネルの列を支持する。トラフはバラストブロックの列を受け入れる。トラフは、システムの下方で湿気を取り込み、雨水をせき止め水たまりにする傾向がある。
【００１３】
したがって、上述した必要の多くを有するシステムが依然として必要とされている。本発明は、これらの必要および他の必要に対処する。
【発明の概要】
【００１４】
本発明は、主にソーラーパネルを平屋根に取り付けるバラスト式ソーラーパネル取付システムである。本取付システムは、基部の第１列および／または末尾列をパネルの真下に位置決めすることにより無駄な空間を低減する。これにより、追加のパネルの列のための場所を提供し、平方フィートの面積辺りより大量の電気を発生することができる可能性がある。さらに、本取付システムは、基部であって、バラストを支持するそれらの基部に一体的に接続される上方に延在する柱（ｐｏｓｔ）を備えた基部を使用する。一体的にとは、２つの部品が永久的に互いに締結され、製品の顧客または使用者がさらに締結する必要がないことを意味する。こうした永久締結システムは、溶接、リベット、ナットおよびボルト、係止締結具、または他の永久締結手段を含む。
【００１５】
脚が基部に一体的に取り付けられているため、必要なさらなる組立は、かがむ必要が最小限である脚の最上端において行われる。さらに、ソーラーパネルを設置する一意のシステムを、治具なしに設置することができる。いくつかの例では、それを、単一の基準線（たとえばチョーク線）のみを用いて設置することができる。さらに、基部は、安価な収納および配送のために積重ね可能であるように構成されている。
【００１６】
一実施形態のソーラーパネル取付システムは、複数の略水平第１基部の第１列と、複数の略水平第２基部の第２列と、複数の略水平第３基部の第３列とを備えている。第１基部、第２基部および第３基部の各々は、基部の一方の側部に取り付けられている上方に延在する柱の短い対と、他方の側部に取り付けられている上方に延在する柱の第２対とを有している。第１基部、第２基部および第３基部の各々は、第１基部、第２基部および第３基部のうちの他のものの上部に積み重ねられるように概して構成されている。積み重ねられると、基部の各々は、基部のうちの他のものと当接し、基部のうちの他のものの柱の間に嵌合する。基部の各々のそれぞれの柱の短い対および柱の長い対は、基部のうちの他のもののそれぞれの短い対および長い対からずれるとともにそれに隣接して嵌合する。
【００１７】
枠の１つの列は、ソーラーパネルに支持可能に取り付けられている。その枠の第１列は前側および後側を有し、枠の１つの列の前側は、複数の略水平第１基部の第１列の柱の短い対に取り付けられるとともにそれによって支持されている。さらに、枠の１つの列の後側は、第２基部の第２列の長い対に取り付けられるとともにそれによって支持されている。さらに、枠の後列が、ソーラーパネルに支持可能に取り付けられている。枠の後列は前側および後側を有し、枠の後列の前側は、複数の略水平第２基部の第２列の柱の短い対に取り付けられるとともにそれによって支持されている。さらに、枠の後列の後側は、複数の略水平第２基部の第３列の柱の長い対に取り付けられるとともにそれによって支持されている。第３基部は枠の後列の真下に位置決めされている。
【００１８】
一実施形態では、本発明は、ソーラーパネル取付システムを含む。本ソーラーパネル取付システムは、底面および最上面を備える前方基部を有している。最上面は、その面の上にバラストを受け入れ、基部を床面に締結する必要なしに基部を係留する。床面は、ソーラーパネル取付システムを支持するあらゆる面として定義される。一実施形態では、床面は平屋根である。一実施形態のシステムの前方基部は、前方基部の一方の側に一体的に取り付けられた上方に延在する柱の第１対をさらに備えている。前方とは、基部の複数の列の前面に配置される基部を意味する。
【００１９】
本システムは、底面および最上面を備える少なくとも１つの中間基部を有している。その最上面はバラストを受け入れる。少なくとも１つの中間基部とは、適用可能な場合、システムに複数の連続した基部か、または基部の複数の列があり得ることを意味する。列の数は、設置されるように指定された領域によって、その指定された領域に同数のソーラーパネルの列を有するという目的で決められることが多い。したがって、本発明は、適用可能な場合、１つ、２つまたはいかなる数の中間基部または中間基部の列にも決して限定されない。少なくとも１つの中間基部は、少なくとも１つの中間基部の一方の側部に一体的に取り付けられている上方に延在する柱の第１対と、少なくとも１つの中間基部の前記一方の側部とは反対側の他方の側部に一体的に取り付けられている上方に延在する柱の第２対とをさらに備えている。本システムは、底面および最上面を備えた後方基部を有している。その最上面はバラストを受け入れる。後方基部は、後方基部の一方の側部に一体的に取り付けられている上方に延在する柱の第２対をさらに有している。少なくとも１つの中間基部および後方基部の柱の第２対の各々は、前方基部および後方基部の柱の第１対の各々より所定距離だけ長い。
【００２０】
一実施形態のシステムは、支持バーの第１対をさらに有している。支持バーの第１対は、所定長であり、第１端部位置において前方基部の柱の第１対の最上端に取り付けられ、第２端部位置において少なくとも１つの中間基部の柱の第２対の最上端に取り付けられている。一実施形態では、支持バーは、一体的に取り付けられており、それは、それらが、ボルトまたは同様の締結具を、溶接、リベット締め、またはボルトあるいは同様の締結具による取付（ボルトまたは締結具を、その全体的な物理的形状を切断するか変更するかまたは不可逆的に損傷することなく取り除くことができない場合）等の永久手段によって取り付けられることを意味する。本システムはまた、第１端部位置において少なくとも１つの中間基部の柱の第１対の最上端に取り付けられ、第２端部位置において後方基部の柱の第２対の最上端に取り付けられる、前記所定長の支持バーの第２対を有している。所定長および所定距離は、レールを所定角度で位置決めするように選択されている。
【００２１】
一実施形態では、少なくとも１つの中間基部は２つ以上の中間基部を含む。支持バーの第１対は、２つ以上の中間基部の柱の第２対の最上端に取り付けられ、支持バーの第２対は、２つ以上の中間基部の柱の第１対の最上端に取り付けられる。
【００２２】
一実施形態のシステムでは、底面の各々は床面に係合する。
【００２３】
別の実施形態のシステムでは、所定角度は、最小が水平面から約１０度であり、最大が水平面から約２０度である。
【００２４】
さらに別の実施形態のシステムでは、柱の第１対と柱の第２対との間の距離は、前方基部、中間基部および後方基部の幅より大きい。
【００２５】
任意選択的に、支持バーの第１対のうちの少なくとも一方の支持バーおよび支持バーの第２対のうちの少なくとも一方の支持バーは、それぞれ第１ソーラーパネルおよび第２ソーラーパネルを支持する。
【００２６】
典型的には、支持バーの第１対のうちの少なくとも一方の支持バーは、第１ソーラーパネルを締結する少なくとも１つの締結具を備え、支持バーの第２対のうちの少なくとも一方の支持バーは、第２ソーラーパネルを締結する少なくとも１つの締結具を備えている。
【００２７】
一実施形態では、前方基部、少なくとも１つの中間基部および後方基部の各々は、前記基部の各々の最上面を包囲する略垂直周壁を備え、最上面および周壁は、バラストが受け入れられる容器を画定する。
【００２８】
前方基部および少なくとも１つの中間基部の各々の柱の第１対と、後方基部および少なくとも１つの中間基部の各々の柱の第２対とは、一実施形態では外周に取り付けられている。
【００２９】
前方基部、少なくとも１つの中間基部および後方基部の各々は、別の実施形態では、それぞれの前方基部、少なくとも１つの中間基部および後方基部から水を排出するように構成された少なくとも１つのオリフィスを備えている。
【００３０】
本システムまたはキットでは、システムの１つの部品を、前方基部および少なくとも１つの中間基部の柱の第１対の最上端の概して下方にある別の部品に締結する必要がない。
【００３１】
別の実施形態では、底面は、基部を上昇させ床面と係合するトレッド面を備えている。トレッド面は、基部が全体として作製される材料と比較して、床に対して滑りにくい。概して、基部は、亜鉛メッキ鋼、ステンレス鋼、または粉末コーティング塗料等の塗料コーティングでコーティングされた鋼を含む鋼から作製される。
【００３２】
一実施形態では、支持バーの第１対および支持バーの第２対は、Ｕ字型であり、柱の第１対および柱の第２対をＵ字型溝に受け入れる。
【００３３】
別の実施形態では、前方基部は、支持バーの第１対の真下に配置され、後方基部は、支持バーの第２対の真下にある。
【００３４】
別の実施形態では、バラスト式ソーラーパネル取付キットがある。本キットは、底面および最上面を有する前方基部を備えている。最上面は、バラストを受け入れるように構成されている。前方基部は、前方基部の一方の側部に一体的に取り付けられている、上方に延在する柱の第１対をさらに備えている。少なくとも１つの中間基部は底面および最上面を備えている。最上面はバラストを受け入れるように構成されており、少なくとも１つの中間基部は、少なくとも１つの中間基部の一方の側部に一体的に取り付けられている、上方に延在する柱の第１対と、少なくとも１つの中間基部の前記一方の側部とは反対側の他方の側部に一体的に取り付けられている、上方に延在する柱の第２対とをさらに備えている。
【００３５】
一実施形態のシステムは、底面および最上面を備える後方基部をさらに有しており、その最上面はバラストを受け入れるように構成され、後方基部は、後方基部の一方の側部に一体的に取り付けられている、上方に延在する柱の第２対をさらに有し、少なくとも１つの中間基部および後方基部の柱の第２対の各々は、前方基部および少なくとも１つの中間基部の柱の第１対の各々より所定距離だけ長い。
【００３６】
一実施形態のシステムでは、所定長の支持バーの第１対は、支持バーの第１対の第１端部位置において前方基部の柱の第１対の最上端に取り付けられ、支持バーの第１対の第２端部位置において少なくとも１つの中間基部の柱の第２対の最上端に取り付けられるように構成されている。前記所定長の支持バーの第２対は、支持バーの第２対の第１端部位置において少なくとも１つの中間基部の柱の第１対の最上端に取り付けられ、支持バーの第２対の第２端部位置において後方基部の柱の第２対の最上端に取り付けられるように構成されている。所定長および所定距離は、レールを所定角度で位置決めするように選択されている。
【００３７】
一実施形態では、少なくとも１つの中間基部は２つ以上の中間基部を含み、それらは、２つ以上の中間基部の柱の第２対の最上端において第１支持バーに取り付けられるように構成され、２つ以上の中間基部の柱の第１対の最上端において第２支持バーに取り付けられるようにさらに構成されている。
【００３８】
別の実施形態では、底面は床面と係合するように構成されている。
【００３９】
さらに別の実施形態では、それぞれ、支持バーの第１対のうちの少なくとも一方は、第１ソーラーパネルを支持するように構成され、支持バーの第２対のうちの少なくとも一方は、第２ソーラーパネルを支持するように構成されている。
【００４０】
さらに別の実施形態では、前方基部、少なくとも１つの中間基部および後方基部の各々は、その基部から水を排出するように構成された少なくとも１つのオリフィスを備えている。
【００４１】
一実施形態では、第１支持バーおよび第２支持バーは、Ｕ字型であり、柱の第１対および柱の第２対をＵ字型溝内に受け入れるように構成されている。
【００４２】
別の実施形態では、本キットは、前方基部を第１支持バーの真下に配置し後方基部を第２支持バーの真下に配置する組立指示書をさらに備えている。
【００４３】
さらに別の実施形態では、１つまたは複数の中間基部は、少なくとも第１中間基部および第２中間基部を含む。第１中間基部は、キットが組み立てられる前に、またはキットが組み立てられていない時に、第２中間基部が第１中間基部のそれぞれの柱の第１対と柱の第２対との間に嵌合し、第２中間基部の柱の第１対および柱の第２対が、第１中間基部のそれぞれの柱の第１対および柱の第２対と当接するように、第２中間基部の上に積み重ねられるように概して構成されている。
【００４４】
一実施形態では、屋根にソーラーパネルを取り付ける方法がある。本方法は、基準線を提供するステップを含む。上方に延在する柱の第１対を有する基部の第１列が提供される。基部の第１列は、基準線に沿って間隔が空けられている。
【００４５】
本方法は、基部の第１列の柱の第１対の最上端に第１支持バーを取り付けるステップをさらに含む。第１支持バーは、支持バーの第１位置に取り付けられる。基部の少なくとも１つの中間列が提供される。少なくとも１つの中間列は、少なくとも１つの中間列の基部の一方の側部に上方に延在する柱の第１対と、前記一方の側部とは反対側の少なくとも１つの中間列の基部の他方の側部に上方に延在する柱の第２対とを有している。第１支持バーは、少なくとも１つの中間列の基部の柱の第２対の最上端において、支持バーの第２位置において少なくとも１つの中間列の基部に取り付けられる。
【００４６】
支持バーの第１列は、所定角度で支持され、基部の少なくとも１つの中間列は、治具なしにまたは追加の測定なしに位置決めされる。本方法は、支持バーの第１列にソーラーパネルの前列を取り付けるステップをさらに含む。前記一方の側部とは反対側の後列の基部の他方の側部に、上方に延在する柱の第２対を有する基部の後列を提供するさらなるステップもまた、本発明の一部である。第２支持バーが、少なくとも１つの中間列の基部および後列の基部に取り付けられ、少なくとも１つの中間列の基部は、少なくとも１つの中間列の基部の柱の第１対の最上端において、支持バーの第１位置において支持バーに取り付けられ、少なくとも１つの後列の基部は、少なくとも１つの中間列の基部の柱の第２対の最上端に、支持バーに沿った第２位置において支持バーに取り付けられる。本方法はまた、支持バーの第２列にソーラーパネルの後列を取り付けるステップも含む。
【００４７】
典型的には、バラストの第１列は、一発明の本方法のソーラーパネルの前列の真下に位置決めされる。概して、バラストの後列は、ソーラーパネルの後列の真下に位置決めされる。
【００４８】
別の実施形態では、ソーラーパネル取付システムを設置する方法がある。本方法は、
（ａ）底面および最上面を備えた前方基部を提供するステップであって、最上面がバラストを受け入れるように構成され、前方基部が、前方基部の一方の側部に一体的に取り付けられている上方に延在する柱の第１対をさらに備える、ステップと、
（ｂ）前方基部の後方に、底面および最上面を備えた少なくとも１つの中間基部を位置決めするステップであって、最上面がバラストを受け入れるように構成され、少なくとも１つの中間基部が、少なくとも１つの中間基部の一方の側部に一体的に取り付けられている上方に延在する柱の第１対と、少なくとも１つの中間基部の前記一方の側部とは反対側の他方の側部に一体的に取り付けられている上方に延在する柱の第２対とをさらに備える、ステップと、
（ｂ）少なくとも１つの中間基部の後方に、底面および最上面を備えた後方基部を位置決めするステップであって、最上面がバラストを受け入れるように構成され、後方基部が、後方基部の一方の側部に一体的に取り付けられている上方に延在する柱の第２対をさらに有し、前方基部、少なくとも１つの中間基部および後方基部の柱の第２対の各々が、柱の第１対の各々より所定距離だけ長い、ステップと、
（ｃ）所定長の支持バーの第１対を、前方基部の柱の第１対の最上端に第１対の第１端部位置において取り付け、第２対の第２端部位置において少なくとも１つの中間基部の柱の第２対の最上端に取り付けるステップと、
（ｄ）前記所定長の支持バーの第２対を、少なくとも１つの中間基部の柱の第１対の最上端に第２対の第１端部位置において取り付け、第２対の第２端部位置において後方基部の柱の第２対の最上端に取り付けるステップであって、所定長および所定距離が、レールを所定角度で位置決めするように選択される、ステップと、
（ｅ）支持バーの第１対のうちの少なくとも一方に第１ソーラーパネルを固定するステップと、
（ｆ）支持バーの第２対のうちの少なくとも一方に第２ソーラーパネルを固定するステップと、
を含む。
【００４９】
一実施形態では、少なくとも１つの中間基部は２つ以上の中間基部を含む。支持バーの第１対を取り付ける（ａ）ステップは、２つ以上の中間基部のうちの１つの柱の第２対の最上端に支持バーの第１対を取り付けることをさらに含み、支持バーの第２対を取り付ける（ｂ）ステップは、２つ以上の中間基部のうちの１つの柱の第１対の最上端に支持バーの第２対を取り付けることを含む。
【００５０】
一実施形態では、前方基部、少なくとも１つの中間基部および後方基部の各々は、前記基部各々の最上面を包囲する略垂直周壁を備える。本方法は、周壁内にバラストを配置するステップをさらに含む。
【００５１】
別の実施形態では、支持体にソーラーパネルを固定する装置があり、本装置は、通路およびリップを有し、リップの下にソーラーパネルを受け入れるように構成された締付ブラケットを備えている。カム作動締付機構は、カムボルトの第１端部にカムプレスを有し、カムボルトの他方の端部にナットを有しており、カム作動締付機構は、カムプレスを第１位置から第２位置まで回転させ、それにより締付ブラケットを支持体に対して付勢して、それらの間にソーラーパネルを締め付ける。一実施形態では、カムプレスは、カムレバーを移動させることによって第１位置から第２位置まで駆動され、支持体は、ロック溝穴をさらに備え、カムレバーをその中に移動させてカムプレスが第２位置から移動しないようにすることができる。
【００５２】
本発明において、１つまたは他の単数形の指定の使用は、非限定的であるように意図されており、特に指示しない限り１つまたは複数を意味する。所定の数の使用は、同様に非限定的であり、特に規定しない限り、その数以上を維持するように意図されている。
【００５３】
本発明を、図面および例を参照して発明を実施するための形態において後述し、図面および例は、本発明の１つまたは複数の実施形態を教示し、説明し例示するように意図されており、本発明の範囲を限定するようには決して意図されていない。
【図面の簡単な説明】
【００５４】
【図１】図１は、本発明の一実施形態のソーラーパネル取付システムの側立面図である。
【図２】図２は、２−２の線に沿って見た図１のソーラーパネル取付システムの正面断面図である。
【図３】図３は、本発明の実施形態のソーラーパネル取付システムの側立面図である。
【図４】図４は、本発明の一実施形態のソーラーパネル取付システムの斜視図である。
【図５】図５は、積み重ねられた形態で配置される本発明の一実施形態の複数の基部またはバラストトレイの正面図である
【図６】図６は、図４の領域Ａに示されている部分の拡大図である。
【図７】図７は、図５の領域Ｂに示されている部分の拡大図である。
【図８】図８は、８−８の線に沿って見た図１のソーラーパネル取付システムの上面拡大図である。
【図９】図９は、一実施形態のソーラーパネル取付ユニットの後方斜視図である。
【図１０】図１０は、別の実施形態のソーラーパネル取付ユニットの斜視図である。
【図１１】図１１は、本発明の一実施形態の基部を金属シートから切断するためのパターンである。
【図１２】図１２は、図６の締結システムに対する工具不要の締結システムである。
【図１３】図１３は、図７の締結システムに対する工具不要の締結システムである。
【図１４】図１４は、本発明の一実施形態の締結具の斜視図である。
【図１５】図１５は、本発明の別の実施形態の締結具の斜視図である。
【図１６】図１６は、本発明の別の実施形態の締結具システムである。
【図１７】図１７は、本発明の一実施形態のパネル取付システムの部分的に切り取られた側立面図である。
【図１８】図１８は、本発明の一実施形態のソーラーパネルアセンブリの屋上設置プロセスを示す。
【図１９】図１９は、本発明の一実施形態のソーラーパネルアセンブリの屋上設置プロセスを示す。
【図２０】図２０は、本発明の一実施形態のソーラーパネルアセンブリの屋上設置プロセスを示す。
【図２１】図２１は、本発明の一実施形態のソーラーパネルアセンブリの屋上設置プロセスを示す。
【図２２】図２２は、本発明の一実施形態のソーラーパネルアセンブリの屋上設置プロセスを示す。
【図２３】図２３は、一実施形態のクランプの斜視図である。
【図２４】図２４は、一実施形態のカム作動プレスを備えたクランプの斜視図である。
【発明を実施するための形態】
【００５５】
本発明は、コンパクトにかつ効率的に輸送するように包装されることが可能であるソーラーパネル取付システムである。本アセンブリは、より効率的であり、必要なステップがより少なく、設置する人の側でかがむことおよび前かがみになることが少なく、ラックシステム構造を設置するために追加の工具に対する必要が低減するかまたはまったくなくなる締結具システムを使用する。本製品は、取付が容易であり、素人が正式な訓練なしに設置することができるものである。
【００５６】
本発明の一例を、図２に関連して図１に示す。ソーラーパネル取付システム１０は、複数の略水平パネル枠または支持バー２４あるいはレールを支持するように構成されている複数の基礎支持体または基部１２を備えている。支持バー２４はソーラーパネル３０を支持し、ソーラーパネル３０は、パネルクランプ２６および２８によって支持バー２４に取り付けられている。基礎支持体１２は、一対の上方に延在する長アームまたは長柱１４と一対の上方に延在する短アームまたは短柱２０とに取り付けられているバラストトレイ１８を有している。長柱１４の対および短柱２０の対は、略水平バラストトレイ１８から垂直に延在している。柱は、さまざまな形状である可能性がある。
【００５７】
たとえば、柱１４および２０は、円形、正方形、矩形または六角形であり得る。一実施形態では、柱１４および２０は、略正方形または矩形の断面領域を備えた管である。柱１４および２０の幅は、支持バー２４内に受け入れられるように支持バー２４の内部寸法に概して対応する。任意選択的に、支持バー２４は、略Ｕ字型であり、柱１４および２０の側に、任意選択的にバラストトレイ１８に面して溝開口部がある。長柱１４の最上部に、取付箇所１６が位置している。本明細書において、「最上部」、「底部」または「端部」という用語は、対象物の、「最上部」、「底部」または「端部」に比較的近い部分を指定するように意図されている。その意味は、文脈に関連し、特に逆であるように定義されない限り、言及している対象物の全長の上位１／８以内のいずれかの場所を含む。短柱２０の最上部に同様の取付箇所２２が位置している。取付箇所２２および１６は、一実施形態では、ピン、リベットまたはナットおよびボルト締結具を受け入れる穴である。一実施形態では、締結具は、クレビスピン、ヒッチピン、ボールピンまたはクイックリリースピンである。それらは、枠の２つの部分を合わせて取り付けることができるあらゆるコネクタであり得る。基部１２またはバラストトレイ１８は、概して鋼から構成されており、基部１２またはバラストトレイ１８の酸化を防止するように処理されている。一実施形態では、基部１２またはバラストトレイ１８は、粉末コーティングによって塗装されている。別の実施形態では、基部１２またはバラストトレイ１８は、亜鉛めっき鋼から作製されている。さらに別の実施形態では、基部１２またはバラストトレイ１８はステンレス鋼から作製されている。
【００５８】
取付箇所１６および２２は、上方に延在する柱１４および２０の最上部において基部または基礎支持体１２に支持バー２４を接続する。支持バー２４は、その前端部２５および後端部２７において柱１４および２０に取り付けられている。支持バー２４は、支持バー２４に取り付けられるソーラーパネル３０を支持するように構成されている。図６を参照すると、一実施形態の支持バー２４は、支持バー２４の長さに沿って溝を形成する断面Ｕ字型を有している。柱１４および２０の最上部は、Ｕ字型支持バー２４の溝に受け入れられる。一実施形態では、ソーラーパネル３０は、クランプ２６および２８によって支持バー２４により支持されており、クランプ２６および２８は、それぞれのクランプ２６および２８の各々においてリップ３１の下でソーラーパネルを支持バー２４に堅固に締め付ける。支持バー２４は、同様に、鋼、アルミニウム、または他の同様の高強度金属から作製されている。それらは、亜鉛メッキまたは塗装を含む、さびおよび酸化の可能性を低減する処理またはコーティングが施されている。別法として、支持バー２４は、ステンレス鋼から作製されている。
【００５９】
一実施形態の基礎支持体１２のバラストトレイ１８は、長さ、幅および高さを有している。長さは幅より大きい。バラストトレイ１８は、前側１３および後側１５を有している。前側１３と後側１５との間の距離は、バラストトレイ１８の幅に対応する。バラストトレイ１８は、バラストトレイ１８の長さに対応する第１端部１７および第２端部１９を有している。前側１３は、長柱１４が取り付けられている側に概して対応し、後側１３は、短柱２０が取り付けられている側に概して対応している。当業者は、「前」および「後」または「第１」あるいは「第２」という指定が、部品の方向付けを目的とするものであり、それ以外は任意であり、本発明の趣旨および範囲から逸脱することなく、それらの指定を入れ替えることができることを理解するであろう。バラストトレイ１８および基礎支持体１２の第１端部１７および第２端部１９は、任意の指定であり、バラストトレイ１８および基礎支持体１２の長さに沿って方向付けられるいずれかの端部を指すことができる。
【００６０】
一実施形態では、基礎支持体１２のバラストトレイ１８は、さまざまなタイプのバラスト（図１および図２には示さず）のうちの１つを支持し受け入れる。バラストトレイ１８は、砂、砂利、セメントまたは金属のおもりを受け入れるように構成されている平底パンであり得る。バラストトレイ１８によって水がそこにたまることないが、排水を可能にするようにバラストトレイ１８の底部に１つまたは複数の開口部があることが好ましい。
【００６１】
図８を参照するとともに図１および図２を続けて参照すると、一実施形態のバラストトレイ１８は、４つのアングルブロックを合わせて溶接して矩形枠にすることによって作製されたバスケットである。各アングルブロックは、直角を形成する２つの平坦な側面１１ａおよび１１ｂを有している。第１側面１１ａは第２側面１１ｂに対して垂直である。アングルブロックは、底面および４つの垂直面に周縁リップを有する矩形ボックスを形成するように構成されている。各アングルブロックの第１側面１１ａは、バラストが配置されるバラストトレイ１８の周縁リップ１１ａを形成している。第２側面１１ｂは、バラストトレイ１８の周壁を形成している。短柱１４および長柱２０は、バラストトレイ１８の第２側面１１ｂに溶接されている。第２側面１１ｂの端部は、４つのアングルブロックがボックス状に組み立てられると、４つの面の各々が、本技術分野において既知である技法によって合わせて溶接される４つの角継目に沿って接合されるように切断されている。
【００６２】
周縁リップ１１ｂの底部にはゴムトレッド（図示せず）が取り付けられている。トレッドは、一実施形態では、バラストトレイ１８のアングルブロックの各々の第２側面１１ａの底部に対して押圧される一面に、剥離接着剤を有している。別法として、トレッドに、本技術分野において既知である技術によって、両面テープまたは糊接着剤を付着させることができる。ゴムトレッドは、滑りを防止し、排水を促進することができるようにバラストトレイ１８を引き上げる。一実施形態では、ゴムトレッドには凹凸が形成されている。別の実施形態では、ゴムトレッドは平滑である。
【００６３】
任意選択的に、基礎支持体１２のバラストトレイ１８は、ソーラーパネルシステムを略平屋根に係留するおもりまたはバラスト（図示せず）を受け入れる。バラストは、バラストトレイ１８に収まるような形状である。一実施形態では、バラストは、バラストのうちの１つまたは複数の結合部分をトレイに収めることができ、そうした部分がトレイを開口部内に落ちることなく地面に係留することができるように、サイズが決められている。
【００６４】
バラストトレイ１８は、高さが、最小１インチであり最大４インチであり、好ましくは約２インチから２．５インチの高さである。アングルブロックによって形成されるリップは、同様に最小１インチおよび最大４インチであり、好ましくは２インチから２．５インチである。バラストトレイ１８は、幅が最小約８インチおよび最大約３フィートである。好ましくは、バラストトレイ１８は約１８インチ幅である。バラストトレイ１８の長さは、最小約１２インチおよび最大約３フィートである。好ましくは、バラストトレイ１８の長さは約２．５フィートである。好ましくは、バラストトレイ１８の長さは、設置されたソーラーパネル３０の長さに位置合せされる。バラストトレイ１８の内部寸法が３フィート長および１．５フィート幅である場合、一実施形態のバラストを、１フィート幅×１．５フィート長よりわずかに小さくすることができ、それにより、バラストをトレイに挿入しかつトレイから取り除くことができる。しかしながら、バラストは、好ましくは、バラストトレイ１８のリップ１１ａにぴったりと収まる。時に、複数のバラストがバラストトレイ１８に収まるように設計される場合もある。バラストの長さまたは幅のうちの少なくとも一方がバラストトレイ１８の内部幅に対応し、バラストの長さまたは幅のうちの他方の合計がバラストトレイ１８の内部長に対応し、それにより、複数のバラストが、バラストトレイ１８内に並んで挿入される時、まとめてバラストトレイ１８内に収まり、バラストトレイ１８のリップ１１ａの上方の位置から容易に外れるかまたはバラストトレイ１８のリップ１１ａによって画定される開口部から落ちる可能性がない。
【００６５】
バラストトレイ１８の前端部には一対の長柱１４がある。図２に関連して図１に示すように、長柱１４は、バラストトレイ１８の対向する端部においてバラストトレイ１８の前側１３に取り付けられている。
【００６６】
一実施形態では、柱１４および２０は、ロール成形鋼から作製された正方形パイプである。それらは、好ましくは、バラストトレイ１８の前側１３および後側１５にそれぞれの溶接されている。別の実施形態では、柱１４および２０は、略Ｕ字型断面を有する３面の細長い構造である。バラストトレイ１８の後側１５には短柱２０が取り付けられており、それらは、バラストトレイ１８の前側に取り付けられている長柱１４に位置合せされかつ対向している。
【００６７】
任意選択的に、柱１４および２０は、シートから４面の略管状形状に形成されたロールであり、長手方向に延在する溝が柱１４および２０の１つの側面の長さを延在している。柱１４および２０はバラストトレイ１８に、溝で表面仕上げされた側１４および２０を前側１３および後側１５に溶接することによって取り付けられている。
【００６８】
バラストトレイ１８の積重ねを、図５を参照して説明する。第１バラストトレイ１８Ａの上に第２バラストトレイ１８Ｂが積み重ねられている。第２バラストトレイ１８Ｂは、第１バラストトレイ１８Ａの各側部においてそれぞれの短柱１４Ａと長柱２０Ａとの間に嵌合する。第２短柱１４Ｂは第１短脚１４Ａに当接している。第２長脚２０Ｂは第１長脚２０Ａに当接している。このように、第２バラストトレイ１８Ｂは、第１バラストトレイのすぐ上にかつ、そこから短柱１４Ａおよび長柱２０Ａの幅に概して等しい距離だけわずかにずれるように向けられている。第３バラストトレイ１８Ｃは、第２バラストトレイ１８Ｂの各側部においてそれぞれの第２短柱１４Ｂと第２長柱２０Ｂとの間に嵌合する。第３短脚１４Ｃは、第２短脚１４Ｂに当接している。第３長脚２０Ｃは第２長脚２０Ｂに当接している。このように、第３バラストトレイ１８Ｃは、第２バラストトレイ１８Ｂのすぐ上に、かつ第２短柱１４Ｂおよび第２長柱２０Ｂの幅に概して等しい距離だけわずかにずれるように向けられている。
【００６９】
第４バラストトレイ１８Ｄは、方向矢印５０によって第３バラストトレイ１８Ｃ上に下されるように示されている。第４バラストトレイ１８Ｄは、第３バラストトレイ１８Ｃの各側部においてそれぞれの第３短柱１４Ｃと第３長柱２０Ｃとの間に嵌合する。第４短脚１４Ｄは、適所まで下げられると、第３短脚１４Ｃに当接する。第４長脚２０Ｄは、第３長脚２０Ｃに当接する。このように、第４バラストトレイ１８Ｄは、第３バラストトレイ１８Ｃのすぐ上に、かつ第３短柱１４Ｃおよび第３長柱２０Ｃの幅に概して等しい距離だけ第３バラストトレイ１８Ｃからわずかにずれるように向けられる。この一意の設計の結果として、バラストトレイを、輸送のためにコンパクトにかつ効率的に積み重ねることができ、所与のパレットで輸送することができるユニットの数が増大する。
【００７０】
図１および図２に戻ると、支持バー２４は、支持バー２４の後側２７において１つのバラストトレイ１８の長柱１４の取付点１６と、支持バー２４の前側２５において別のバラストトレイ１８の短柱２０の取付点２２とに取り付けられている。一実施形態では、長柱１４および短柱２０は協働して、水平面から最小５度および最大４０度の角度でソーラーパネル３０を位置付ける。好ましくは、角度は最小５度であり最大３０度である。１つの好ましい実施形態では、角度は、好ましくは水平面から約１０度であるかまたは垂直面から１００度である。角度が高いほどより効率的な角度で太陽光を遮ることができるが、パネル３０は、角度が高いほど、前のパネルの後方でパネルの太陽光を遮断する傾向がある。したがって、角度が低いほど、パネル３０を最大効率に対して可能な限り近くに配置することが容易になる。したがって、一実施形態では、長柱１４は１５インチ平方の金属管から作製され、長さが約１フィート、１と７／１６インチである。短柱は、同様に、１．５インチ管またはバーから作製され、長さが約６と７／８インチである。
【００７１】
パネル３０を、図２に示すようにパネル３０およびバラストトレイ１８を含む基礎支持体１２の長さに沿って位置合せされた列で配置することができる。パネルの列の１つの末端において１つの支持バー２４または一対の支持バー２４（図２では見えず）を支持するバラストトレイ１８が、端部バラストトレイ１８である。それが支持するそのバラストトレイによって支持される支持バー２４が端部枠であり、端部枠が支持するソーラーパネルが端部パネル３０である。端部バラストトレイ１８は、支持バー２４の端部対に、それぞれの端部パネル３０の真下に向けられるように取り付けられている。端部に位置していないバラストトレイ１８を含む他のすべての基礎支持体１２は、パネル３０が可能な限り互いに近くに嵌合するように、バラストトレイ１８を含む基礎支持体１２のそれぞれの端部に取り付けられている。
【００７２】
本発明は、図４に関連して図３に示す実施形態のソーラーパネル取付システム１１０である。ソーラーパネル取付システム１１０は、複数の略水平パネル枠または支持バー１２４を支持するように構成された複数の基礎支持体または基部１１２ｆ、１１２ｍ、１１２ｂを備えている。一実施形態では、基部１１２ｆは、ソーラーパネルアセンブリの前列に受け入れられるように構成されており、短柱１２０のみを有している。基部１１２ｍは中央に位置決めされた基部であり、短柱１２０および長柱１１４の両方を有している。基部１１２ｂは、後列に位置決めされた基部を指す。長柱１２０のみが支持バー１２４に接続されている。したがって、短柱１２０が１１２ｂにおいて任意選択的である。
【００７３】
一実施形態では、一対の支持バー１２４がソーラーパネル１３０を支持している（図１７を参照）。パネル１３０は、各支持バー１２４に一対のパネルクランプ１２６および１２８によって取り付けられている。基礎支持体１１２ｆ、１１２ｍおよび１１２ｂは、一対の長アームまたは長柱１１４および一対の短アームまたは短柱１２０に取り付けられているバラストトレイ１１８を有している。長柱１１４の対および短柱１２０の対は、略水平バラストトレイ１１８から垂直に延在している。
【００７４】
支持バー１２４は、略Ｕ字型であり、柱１１４および１２０に向けられている側に、柱１１４および１２０の最上端が受け入れられる溝開口部がある。長柱１１４の最上部に、取付箇所１１６が位置している。短柱１２０の最上部に、同様の取付箇所１２２が位置している。取付箇所１２２および１１６は、一実施形態では、ピンまたはボルトを受け入れる穴である。柱１１４および１２０を支持バー１２４に接続する手段は、ボルト、コッタピン、クイックリリースピン、ボールピン、クレビスピンおよびヒッチピンを含む、枠の２つの部分を合わせて取り付けることができるあらゆるコネクタであり得る。
【００７５】
取付箇所１１６および１２２は、支持バー１２４がその前端部１２５および後端部１２７において有している対応する取付箇所１２２および１１６によって、支持バー１２４を基部１１２に接続する。支持バー１２４は、支持バー１２４に取り付けられるソーラーパネル１３０を支持するように構成されている。図３および図４に示すように、支持バー１２４は、支持バー１２４の長さに沿って溝を形成する断面Ｕ字型を有している。柱１１４および１２０の最上部は、Ｕ字型支持バー１２４の溝内に受け入れられる。ソーラーパネル１３０は、クランプ１２６および１２８によって、支持バー１２４により支持され、クランプ１２６および１２８は、ソーラーパネル１３０をそれぞれのクランプ１２６および１２８の各々において（図６、図７および図１６の）リップ１３１下で支持バー１２４に堅固に締め付ける。
【００７６】
図６および図１６を参照すると、前方クランプ１２６が記載されている。支持バー１２４は、短柱１１４に、ナットおよびボルト締結具１３３によって取り付けられている。クランプ１２６は、支持バー１２４にナット１３８およびボルト１３２によって取り付けられている。ボルト１３２は、クランプ１２５の表面１３６の穴および支持バー１２４の溝穴１３４を貫通する。一実施形態では、ボルト１３２は、その対応するナット１３８が締め付けられる時に回転しないように、溝穴１３４に堅固に受け入れられるキャリッジボルトである。溝穴１３４により、ボルト１３２は、支持バー１２４の長さの方向に、最小０．５インチおよび最大約４インチ（好ましくは約１インチから１．５インチ）の距離を摺動することができる。この溝穴１３４の機能は、ソーラーパネル１３０アセンブリ１１０が取り付けられる面における凹凸によってもたらされるソーラーパネル１３０のより適切な適合を容易にすることである。凹凸（ただし本質的に垂直である）により、わずかな水平方向のずれがもたらされ、それは、パネル１３０の長手方向配置における幾分かの変動によって修正される。
【００７７】
クランプ１２６は、垂直高さが、ソーラーパネル１３０の厚さに対応する。垂直高さは、スペーサ１３５および１３７の高さの和である。パネル１３０は、リップ１３１の下に配置される。そして、クランプ１２６は、ナット１３８を締付け方向に回転させることによって締め付けられる。
【００７８】
図７および図１６を参照すると、後方クランプ１２８が記載されている。支持バー１２４は、長柱１２０に、ナット１３８およびボルト１３２締結具１３３によって取り付けられている。ボルト１３２は、クランプ面１３６の穴および支持バー１２４の溝穴１３４を貫通する。一実施形態では、ボルトは、その対応するナット１３８が締め付けられる時に回転しないように、溝穴内に堅固に受け入れられるキャリッジボルトである。溝穴１３４により、ボルト１３２は、支持バー１２４の長さの方向に、最小０．５インチおよび最大約４インチ（好ましくは約１インチから１．５インチ）の距離を摺動することができる。この溝穴１３４の機能は、ソーラーパネルアセンブリ１１０が取り付けられる面における凹凸によってもたらされるソーラーパネル１３０のより適切な適合を容易にすることである。凹凸（ただし本質的に垂直である）により、わずかな水平方向のずれがもたらされ、それは、パネル１３０の長手方向配置における幾分かの変動によって修正される。
【００７９】
クランプ１２６は、垂直高さがソーラーパネル１３０の厚さに対応する。垂直高さは、スペーサ１３５および１３７の高さの和である。パネル１３０は、リップ１３１の下に配置される。そして、クランプ１２６は、ナット１３８を締付け方向に回転させることによって締め付けられる。
【００８０】
図１１に関連して図９に示す一実施形態では、基礎支持体２１２は、単一の金属シート２００から切断され成形されている。バラストトレイ２１８は、相交わる交差部（ｃｒｕｘ）２１１ａと４つの外側に延在する付属部２１１ｂ、２１１ｃ、２１１ｄおよび２１１ｅとを備え、付属部２１１ｂ、２１１ｃ、２１１ｄおよび２１１ｅの各々は隣接する付属部から直角に延在している、略十字形状に切断されている。交差部の中心を、バラストトレイの底部２１１ａの開口部２０２を形成するように除去することができる。バラストトレイ２１８の付属部２１１ｂ、２１１ｃ、２１１ｄおよび２１１ｅは、折目２０３ｂ、２０３ｃ、２０３ｄおよび２０３ｅに沿ってバラストトレイの底部２１１ａに対して垂直になり隣接する付属部と継目を形成するように接触するまで上方に折り曲げられる。継目２０４は、本技術分野において既知である技法に従って、バラストトレイの略ボックス形状を形成するように溶接される。一実施形態では、付属部２１１ｂ、２１１ｃ、２１１ｄおよび２１１ｅの長さは同じであり、等しい高さの側面を形成する。別の実施形態では、上方に延在している長柱２１４および短柱２２０が取り付けられる側面の長さは柱の強度に比例して対応することが理解される。したがって、これらの側面に対応する付属部の長さを増大させることが有利であり得る。
【００８１】
したがって、一実施形態では、付属部２１１ｂから形成される前側２１３および付属部２１１ｃから形成される後側２１５は、付属部２１１ｄから形成される第１端部２１７および付属部２１１ｅから形成される第２端部２１９より長い。したがって、バラストトレイを形成するように折り曲げられると、前側２１３および後側２１５は、第１端部２１７および第２端部２１９より長い。一実施形態では、前側および後側は、最小高さが２インチであり最大高さが４インチであり、好ましくは約３インチである。第１端部２１７および第２端部は、最小高さが１インチであり最大高さが３インチであり、好ましくは約２インチである。
【００８２】
続けて図９および図１１を参照すると、基部の短柱２２０および長柱２１４は、金属シート２００から形成される。特に、柱２１４および２２０は、金属シート２００から切り出される金属から切断されて開口部２０２を形成する。各支持基部２１２に対して一対の短柱２２０が必要である。柱は、ロール成形され継目線２０４および２０５に沿って折曲げられて、正方形または矩形の断面領域を有する略管状柱を形成する。同様に、各支持基部２１２に対して一対の長柱２１４が必要である。これらの柱は、ロール成形されて継目線２０６および２０７に沿って折曲げられて、正方形または矩形の断面領域を有する略管状柱を形成する。しかしながら、当業者には、本発明の趣旨および範囲から逸脱することなく、柱を、限定なしに円形、六角形または八角形の形状を含む、広範囲の管状形状に形成することができることが理解されよう。
【００８３】
一実施形態では、柱２１４および２２０の内側を、コーティングを含む保護処理に晒すことができるように、柱２１４および２２０の内部溝を開放させることが望ましい。上述したように、柱２１４および２２０を、柱２１４および２２０の寿命を延長し強度を維持するように、粉末コーティング、塗装、亜鉛メッキまたは他の方法で処理することができる。
【００８４】
一実施形態では、柱２１４および２２０は、四面管状部材であり、第４面の中央を溝が伸びている。柱２１４および２２０に沿って長手方向に延在する隆起を備えた開放した第４面を形成することにより、柱２１４および２２０に対してより厚い金属部品を必要とすることなく、柱２１４および２２０の強度が大幅に向上する。さらに、開放面を備えた柱２１４および２２０の側面が前側２１３および後側２１５に取り付けられるように柱２１４および２２０を方向付けることにより、基礎支持体２１２より大きい金属厚さの柱を必要とすることなく、基礎支持体２１２の強度が大幅に補強される。柱２１４および２２０は、溶接または本技術分野において既知である他の手段によって、前側２１３および後側２１５に取り付けられる。
【００８５】
図１０は、ソーラーパネルアセンブリの前列で使用される基礎支持体２１２ｆを示し、基礎支持体２１２ｆを、ソーラーパネルの下に嵌合させることができ、基礎支持体２１２ｆは、パネルをより効率的に配置するためにさらなる空間を提供することができる。基礎支持体２１２ｆは、図１０の基礎支持体２１２ｆが図９および図１１の基礎支持体２１２に類似する単一の金属シートから形成されることを除き、前列に配置するために他の基礎支持体と同様であり、前側に長柱２１４が取り付けられていないことを除き、上述した製造ステップに従う。したがって、外側に延在する付属部１１１ｂは、長さが、外側に延在する付属部１１１ｄおよび１１１ｅと同じである。
【００８６】
続けて図３および図４を参照すると、周縁リップ１１１ａの底部にゴムトレッド（図示せず）が取り付けられている。トレッドは、一実施形態では、バラストトレイ１１８の周縁リップ１１１ａに押圧される一面に、剥離接着剤がある。別法として、トレッドに、本技術分野において既知である技法に従って両面テープまたは糊接着剤を付着させることができる。ゴムトレッドは、滑りを防止し、排水を促進することができるようにバスケットをわずかに引き上げる。一実施形態では、ゴムトレッドには凹凸が形成されている。別の実施形態では、ゴムトレッドは平滑である。
【００８７】
任意選択的に、バラストトレイ１１８は、ソーラーパネルシステムを略平屋根に係留するおもりまたはバラストを受け入れる。バラストは、バラストトレイに収まるような形状である。バラストは、バラストのうちの１つまたは複数の結合部分をトレイに収めることができ、そうした領域がトレイを地面に係留することができるように、サイズが決められている。
【００８８】
一実施形態では、バラストトレイ１１８は、高さが最小１インチであり最大４インチであり、好ましくは約２．５インチの高さである。アングルブロックによって形成されるリップは、同様に最小１インチおよび最大４インチであり、好ましくは２．５インチである。バラストトレイは、幅が最小約８インチおよび最大約３フィートである。好ましくは、バラストトレイ１１８は約１．５フィート幅である。バラストトレイ１１８の長さは、最小約１フィートおよび最大約３フィートである。好ましくは、バラストトレイ１１８の長さは約２．５フィートである。好ましくは、バラストトレイ１１８の長さは、設置されたソーラーパネルの長さに位置合せされる。バラストトレイ１１８の内部寸法が、３フィート長×１．５フィート幅である場合、一実施形態のバラストを、１フィート幅×１．５フィート長よりわずかに小さくすることができ、それにより、バラストをバラストトレイ１１８に挿入しかつそれから取り除くことができる。しかしながら、バラストは、バラストトレイ１１８のリップ１１１ａにぴったりと収まる。時に、複数のバラストがバラストトレイ１１８に収まるように設計される場合もある。バラストの長さまたは幅のうちの少なくとも一方がバラストトレイ１１８の内部幅に対応し、バラストの長さまたは幅のうちの他方の合計がバラストトレイ１１８の内部長に対応し、それにより、複数のバラストが、バラストトレイ１１８内に並んで挿入される時、まとめて収まり、バラストトレイ１１８のリップ１１１ａの上方の位置から容易に外れる可能性がない。
【００８９】
パネル３０は、図１に示すように前後に配置される。パネル３０の第１列は、バラストトレイ１８の短柱１４によって支持される。バラストトレイ１８は、図１に示す実施形態では、パネル３０の第１列の正面に向けられている。図３に示す別の実施形態では、長柱１２０が、バラストトレイ１１８の第１列から取り除かれ、基部が反転されて、短柱１１４が支持バー１２４を支持し、第１列のバラストトレイ１１８がパネル１３０の第１列の真下に向けられる。パネル１３０の後側は、バラストトレイ１１８の第２列から長柱１２０によって支持され、バラストトレイ１１８の第２列は、バラストトレイ１１８の第２列の短柱１１４によってパネル１３０の第２列を支持する。このパターンは、パネルの最後の列がバラストトレイ１１８の最後の列の長柱１２０によって支持されるまで続く。しかしながら、バラストトレイの最後の列の向きは反転されて、バラストトレイ１１８の最後の列は、ソーラーパネル１３０の最後の列の真下にあるようになる。これにより、２つのバラストトレイの幅およびバラストトレイの列全体の長さに等しい、屋根設置用の空間が不要になる。
【００９０】
図１２を参照すると、別のクランプ機構が開示されている。クランプ機構は、図６および図７において上述したものと同様のクランプブラケット３２６を含む。同様に、本実施形態の支持バー３２４は、ナットおよびボルトによって短柱３１４に取り付けられている。クランプブラケット３２６は、ナットおよびボルト３３３によって支持バー３２４に取り付けられている。好ましくは、カム作動クランプ機構３３２は、効率的な現場での設置のために事前に取り付けられている。
【００９１】
カム作動クランプ機構３３２は、クランプブラケット３２６の表面３３６の穴および支持バー３２４の溝穴３３４を貫通する。一実施形態では、クランプ機構３３２は、溝穴３３４に堅固に受け入れられる少なくとも部分的にねじ切られたボルトシャフトを有している。溝穴３３４により、ボルトは、支持バー３２４の長さの方向において、最小０．５インチおよび最大約４インチ（好ましくは約１インチから１．５インチ）の距離だけ摺動することができる。この溝穴３３４の機能は、ソーラーパネルアセンブリ（図示せず）が取り付けられている面における凹凸によってもたらされるソーラーパネルのより適切な適合を容易にすることである。凹凸（ただし本質的に垂直である）により、わずかな水平方向のずれがもたらされ、それは、パネルの長手方向配置の配置における幾分かの変動によって修正される。
【００９２】
クランプ３２６は、垂直高さが、図示しないソーラーパネルの厚さに対応する。垂直高さは、スペーサ３３５および３３７の高さの和である。パネル（図示せず）はリップ３３１の下に配置される。カム作動クランプ機構３３２は、リップ３３１を支持バー３２４の表面に対して押し向け、ソーラーパネル（図示せず）を、カム作動クランプ機構３３２によってリップ３３１と支持バー３２４との間で締め付ける。
【００９３】
カム作動クランプ機構３３２の特徴を、カム作動クランプ機構３３２の２つの同様の実施形態を示す図１４および図１５を参照して説明する。参照のために、各カム作動クランプ機構３３２の同一の部品は同一の参照番号を有する。図１４および図１５のカム作動クランプ機構３３２は、カムボルト３０３の頭部３０５においてカムボルト３０３に偏心的に接続されたカムプレス３０４を備えている。カムボルト３０３は、カムボルト頭部３０５と、カムボルト頭部３０５とは反対側の端部にねじ込まれるカムボルトシャフト３０９とを有している。カムボルト頭部３０５とは反対側のカムボルトシャフト３０９に、ナット３１０がねじ込み式に受け入れられている。
【００９４】
カムボルト頭部３０５は、カムプレス３０４のアクセス溝穴内に受け入れられる。カムプレス３０４は、枢支ピン３０７によってカムボルト頭部３０５に偏心的に取り付けられている。一対のカムローブ３１１が、枢支ピン３０７の軸から最も遠くに突出する略円柱状カムプレス３０４の一部として画定されている。略円柱状カムプレス３０４は、カムレバー３０８に取り付けられており、カムレバー３０８は、枢支ピン３０７の軸に対してカムボルトシャフト３０９に対するさまざまな径方向角度でカムローブ３１１を位置決めするように、カムボルト頭部３０５に対する偏心カムプレス３０４の回転に役立つ。カムレバー３０８もまた、カムボルトシャフト３０９の軸に対してカムプレス３０４およびカムボルト３０３を回転させることができる。図１５に示す一実施形態では、カムレバー３０８にはプレスプレート３１２が取り付けられており、それは、カムボールド（ｂｏｌｄ）シャフト３０９の軸方向回転をより楽に可能にする。
【００９５】
クランプ３２６は、ソーラーパネルを支持バー３２４に固定するように動作する。ソーラーパネルは、クランプブラケット３３６のリップ３３１の下に位置決めされる。カムレバーは、カムボルトシャフト３０９とは反対の方向にカムローブ３０８を位置決めするように回転する。ナット３１０は手で締め付けられる。そして、カムレバー３０８は、カムボルトシャフト３０９と同じ方向にカムローブ３１１を位置決めするように回転する。これにより、カムローブ３１１は、支持バー３２４の底部に対して押し込まれ、支持バー３２４をリップ３３１に対して付勢してソーラーパネルを支持バー３２４に固定する。
【００９６】
図１３を参照し続けて図１４および図１５を参照すると、カム作動クランプ機構３３２は、図６および図７において上述したものと同様のクランプブラケット３２８を含む。同様に、本実施形態の支持バー３２４は、ボルト３３３によって長柱３２０に取り付けられている。クランプブラケット３２８は、カム作動クランプ機構３３２によって支持バー３２４に取り付けられている。好ましくは、カム作動クランプ機構３３２は、効率的な現場での設置のために事前に取り付けられている。カム作動クランプ機構３３２は、クランプブラケット３２８の表面３３６の穴および支持バー３２４の溝穴３３４を貫通し、クランプブラケット３２６を支持バー３２４に対して押圧してソーラーパネルを支持バー３２４に対して締め付けることによって作動する。一実施形態では、カム作動クランプ機構３３２は、溝穴３３４内に堅固に受け入れられる少なくとも部分的にねじ切られたカムボルト３０３を有している。溝穴３３４により、ボルト３０３は、支持バー３２４の長さの方向において最小０．５インチおよび最大約４インチ（好ましくは約１インチから１．５インチ）の距離だけ摺動することができる。この溝穴３３４の機能は、ソーラーパネルアセンブリ（図示せず）が取り付けられる面における凹凸によってもたらされるソーラーパネルのより適切な適合を容易にすることである。凹凸（ただし本質的に垂直である）によりわずかな水平方向のずれがもたらされ、それは、パネルの長手方向配置の配置における幾分かの変動によって修正される。
【００９７】
クランプ３２６は、垂直高さがソーラーパネル（図示せず）の厚さに対応している。垂直高さはスペーサ３３５および３３７の高さの和である。パネル（図示せず）は、リップ３３１の下に配置される。クランプ３２６は、リップ３３１を支持バー３２４の表面に対して押し向け、それによりソーラパネル（図示せず）を、カム作動クランプ機構３３２によってリップ３３１と支持バー３２４との間に締め付ける。
【００９８】
締付プロセスは、カムレバー３０８を回転させて、カムローブ３１１を、カムボルトシャフト３０９と概して反対の方向に突出するように位置決めすることによって開始する。ナット３１０は手で締め付けられる。そして、カムレバー３０８は、カムボルトシャフト３０９と同じ方向にカムローブ３１１を位置決めするように回転する。これにより、カムローブ３１１は、支持バー３２４の底部に押し込まれ、支持バー３２４をリップ３３１に対して付勢してソーラーパネルを支持バー３２４に固定する。
【００９９】
図２３および図２４を参照すると、別の実施形態の工具不要のクランプ機構は、図６および図７において上述した、開示したようなものと同様のクランプブラケット４２６を含む。クランプブラケットは、垂直高さがパネル（図６においてパネル１２０として先に示す）の厚さに概して対応する。垂直高さは垂直スペーサ４３５および４３７の高さの和である。ブラケットは、パネル１２０が下に挿入されるリップ４３１を形成している。図２４に示すカム作動工具不要締付機構４３２を受け入れる座部４４０および穴４４２を有するクランププレート４３６が形成されている。カム作動クランプ機構４３２は、カムボルト４０３の頭部４０５においてカムボルト４０３に枢動するようにかつ偏心的に接続されたカムプレス４０４を備えている。カムボルト４０３は、カムボルト頭部４０５と、カムボルト頭部４０５とは反対側の端部においてねじ込まれるカムボルトシャフト３０９とを有している。ナット４１０が、カムボルト頭部４０５とは反対側のカムボルトシャフト４０９にねじ込み式に受け入れられる。
【０１００】
カムプレス４０４は座部４４０内に受け入れられ、カムボルトシャフト４０９は、クランププレート４３６の上側においてカムプレス４０４から穴４４２を貫通する。カムボルト４０９は、図６においてボルト１３２が開口部１３４を貫通して図６のクランプ１２６をそれぞれのレールに結合するのと同様に、レール（図示せず）の開口部（溝穴または穴）を貫通する。比較的に、カムボルト４０９は、クランプ４２６をそのそれぞれのレール（図示せず）に結合する。カムボルトシャフト４０９にナット４１０がねじ込み式に受け入れられる。ナット４１０をカムプレス４０４に向かって移動させることにより、クランププレート４３６とクランプ４２６が結合されるレールとの間の距離が短くなり、それにより、クランプリップ４３１と締付機構４２６が結合されるレールとの間でソーラーパネル１２０を締め付ける（締着する（ｔｉｇｈｔｅｎ）かまたは挟持する（ｃｌａｍｐ））。
【０１０１】
カムプレス４０４は、ピン４０７によってカムボルト頭部４０５に締結される。カムボルト頭部４０４はローブ４１１を有し、ローブ４１１は、カムハンドル４０８が比較的弛緩した位置で上方にある第１位置と、カムハンドル４０８が下方に回転する第２位置との間で回転可能であり、カムローブは、カムボルト頭部４０５とカム座部４４０との間に位置決めされる。カムハンドル４０８は、第１弛緩位置に位置決めされる。カムナット４１０は、ぴったりフィットするまで手で楽に締め付けられる。そして、カムハンドル４０８は、下方に押し下げられて、カムローブ４１１をカムボルト頭部とクランププレート４３６との間に位置決めする。これにより、リップ４３１が強制的に、クランプボルトシャフト４０９が貫通するレールに押し向けられ、その結果、ソーラーパネル１２０がレール（図示せず）とリップ４３１との間で締め付けられる。カムローブ４１１とクランプ座部４４０との間の摩擦により、機構が締付位置で保持される。
【０１０２】
図１７を参照すると、パネルアセンブリが、一実施形態では屋上１０８である床面に対して計画されている。前方基部１１２ｆが適所に配置され、基部の前面に沿った基準線と、基部の側面に沿った第２基準線と位置合せされる。これらの２つの基準線は、ソーラーパネルシステム全体を設置するために必要な単なる基準点である。中間基部１１２ｍが、第２基準線（図示せず）に沿って前方基部１１２ｆの後方に位置合せされる。支持バー１２４が、前端部において短柱１２０にかつ後側において長柱１１４に、それぞれの前方基部１１２ｆおよび中間基部１１２ｍの取付箇所１２２および１１６に支持バー１２４をボルト締めすることによって取り付けられる。第２支持バーが、前方基部１１２ｆおよび中間基部１１２ｍの対向する側に取り付けられる必要はない。
【０１０３】
ここで図１８を参照すると、前方基部１１２ｆの列が、第１基準線に位置合せされる。基部１１２ｍの第２列（部分的に切り取られて示されている）が、基部１１２の前列の後方に位置合せされる。支持バー１２４の対が、前列１１２ｆの短ロッドおよび基部１１２ｍの第２列の長ロッド１１４のそれぞれの対に取り付けられる。
【０１０４】
図１９を参照すると、基部１１２ｆの第１列および基部１１２ｍの第２列（部分的に示す）が、上述したようにそれらの間に支持バー１２４が延在して組み立てられる。パネル１３０がレール１２４の上に配置され、上記１つまたは複数の実施形態に記載したように固定される。一実施形態では、前方角のソーラーパネル１３０は、並んで配置された２つの異なる基部１１２ｆおよび１１２ｍからの１つのレールによって支持される。したがって、ソーラーパネル１３０は、隣接する基部の間の空間にわたる。この配置により、システムの全体的な相互接続性のために安定性が向上する。
【０１０５】
図２０を参照すると、パネル１３０の前列が複数の基部１１２ｆに取り付けられる。さらに、基部１１２ｍの縦列が前方基部１１２ｆの後方にある。基部１１２ｍの縦列は、それらの長ロッド１１４が前方基部１１２ｆに向かいそれらの短ロッド１２０が後方に向かうように位置合せされる。基部１１２ｆ、１１２ｍおよび１１２ｂの縦列を、基部１１２の縦列に沿って延在する第２基準線によって位置合せすることができる。この端部列における基部１１２ｆの前列と基部１１２ｂの後列との間の各基部１１２ｍは、その前面において少なくとも１つの支持バー１２４によって基部に、その後面において第２支持バー１２４によって基部に取り付けられる。縦列の最後の基部（または後方基部）１１２ｂは、短ロッド１２０が前列１１２ｆに向けられており、長ロッド１１４が後方に向けられている。しかしながら、後方基部１１２ｂは、取り付けられたソーラーパネル１３０の下に配置されるように長バー１１４によって接続される。
【０１０６】
図２１に示すように、このパターンは、基部１１２ｆ、１１２ｍおよび１１２ｂの連続した列および縦列を完成するように続けられる。ソーラーパネル１３０は、各基部の間に延在する支持バー１２４に取り付けられる。したがって、各ソーラーパネル１３０は、合計４つの基部が各パネルに取り付けられるために、基部の少なくとも２つの列および基部の２つの縦列と接続される。ソーラーパネル１３０と基部１１２ｆ、１１２ｍおよび１１２ｂとの間のこの相互接続性は、システム全体の安定性および暴風雨に対する耐性に寄与する。暖房、換気および空調ユニット等の屋根障害物１４０が位置する場所において、ソーラーパネル１３０および対応する基部を除去することができる。障害物１４０の真正面の基部を、後列基部１１２ｂと同様に向けることができる。障害物１４０の真後ろの基部は、一対の小ロッド１２０しか取り付けられていない前方基部１１２ｆを使用し、それにより、前方基部１１２ｆをそれが支持するソーラーパネルの真下に向けることができる。これにより、障害物を包囲する領域においてつまずく危険が低減する。
【図１】
2013538307.tif 000003
【図２】
2013538307.tif 000004
【図３】
2013538307.tif 000005
【図４】
2013538307.tif 000006
【図５】
2013538307.tif 000007
【図６】
2013538307.tif 000008
【図７】
2013538307.tif 000009
【図８】
2013538307.tif 000010
【図９】
2013538307.tif 000011
【図１０】
2013538307.tif 000012
【図１１】
2013538307.tif 000013
【図１２】
2013538307.tif 000014
【図１３】
2013538307.tif 000015
【図１４】
2013538307.tif 000016
【図１５】
2013538307.tif 000017
【図１６】
2013538307.tif 000018
【図１７】
2013538307.tif 000019
【図１８】
2013538307.tif 000020
【図１９】
2013538307.tif 000021
【図２０】
2013538307.tif 000022
【図２１】
2013538307.tif 000023
【図２２】
2013538307.tif 000024
【図２３】
2013538307.tif 000025
【図２４】
2013538307.tif 000026
【国際調査報告】
2013538307.tif 000027
2013538307.tif 000028
2013538307.tif 000029